(57)【特許請求の範囲】
【請求項１】
錠杆バネにより常時は後退方向に付勢され、かつハンドルの操作によりハブを回動することにより後退されるように錠ケース内に出没自在に設けた錠杆と、前記錠杆の少なくとも一部に設けた磁性体又は磁石と、扉閉鎖時に前記磁性体又は磁石と対向する扉枠側の受部材に設けた磁石又は磁性体とを備え、扉閉鎖時に前記錠杆側の磁性体又は磁石と受部材側の磁石又は磁性体との磁性吸引力によって、前記錠杆バネによる後退方向への付勢力に打ち勝って錠杆を突出させて受部材の係合孔に係合させ施錠するようにしてなる扉錠において、
前記錠杆バネは、錠杆を後退方向に付勢する第１錠杆バネと、この第１錠杆バネより強い付勢力を有し錠杆を前進方向に付勢する第２錠杆バネとからなり、この第１錠杆バネと第２錠杆バネにより、開扉解錠状態時においてはフロント前面からの錠杆の設定突出量を規制するとともに、扉の閉鎖状態時においては、前記錠杆は、前記設定突出量に加え、該錠杆の磁性体又は磁石と受部材の磁石又は磁性体との磁性吸引力によって、同錠杆を受部材の係合孔に突出させて施錠するようにしたことを特徴とする扉錠。
【請求項２】
前記錠ケースの収納室の上部に前後のバネ受部を離間して形成し、この両バネ受部間で形成されたバネ収納空間に錠杆の上部壁より突設したバネ受を嵌入するとともに、前記前部バネ受部と錠杆の前記バネ受との間に第１錠杆バネを設けるとともに、錠ケースの前記バネ収納空間の後部には更にバネ受部を形成して、このバネ受部と前記後部バネ受部との間に前記第２錠杆バネを設けている請求項１に記載の扉錠。
【発明の詳細な説明】
【０００１】
【発明の属する技術分野】
本発明は、扉錠、特に、常時は後退方向に付勢されている錠杆を、扉閉鎖時には磁石（永久磁石の意味であって本明細書では単に磁石という）の磁性吸引力によって突出させて施錠するようにした扉錠に関する。
【０００２】
【従来の技術】
従来、この種の扉錠としては、本願出願人が出願した特願平８ー１３５８６１号の明細書及び図面に記載されたものが提案されている。
【０００３】
上記従来の扉錠は、図１５に示す如く、上下幅を短くかつ左右長手方向幅を長くした細長の長方形状の錠ケース０１内に、少なくとも錠杆０２と錠杆バネ０３とテールピース０４とハブ０５とテールピースバネ０６とを直列的に配設し、前記錠杆０２は錠杆バネ０３により常時には後退方向に付勢され、かつハンドル（ハブやレバーハンドル）操作によりハブ０５を介して後退されるように錠ケース０１内に出没自在に設けてある。また、錠杆０２の後部とハブ０５との間には錠杆補助片０２０を設け、この錠杆補助片０２０には前記錠杆バネ０３の付勢力よりは強く常時は錠杆０２が突出する方向へ付勢した錠杆補助片バネ０２１を設けている。さらに、前記錠杆０２の少なくとも一部は磁性体又は磁石０７で構成するとともに、扉閉鎖時に前記錠杆０２を突出して係合する係合孔０１１を有する扉枠側の受部材０１０には、磁石または磁性体０１２を設けている。そして、扉閉鎖時に前記錠杆０２側の磁性体又は磁石０７と受部材０１０側の磁石又は磁性体０１２との磁性吸引力によって、前記錠杆バネ０３による後退方向への付勢力に打ち勝って、錠杆０２を突出させて受部材０１０の係合孔０１１に係合させ施錠するようにしてなるものである。
【０００４】
図１５で、０５ａ、０５ｂはハブ０５に形成した作動部で、閉扉施錠状態時においてノブやレバーハンドルの操作軸０３０を回動することにより、テールピース０４の後部に設けた係合用突起部０４ａ、０４ｂに係合させ、前記錠杆に設けた磁性体または磁石０７と受部材０１０に設けた磁石又は磁性体０１２との磁性吸引力による錠杆０２の突出方向への付勢力に抗して錠杆０２を後退作動させて解錠することができる。この場合、ハブ０５の操作軸挿入孔（操作軸０３０）の中心と、ハブ０５に形成された作動部０５ａ、０５ｂとの距離は、錠ケース０１の上下幅が狭いために短い構成である。
【０００５】
上記従来の扉錠では、（イ）ハブ０５に該ハブ０５自身を回動可能に付勢するためのバネを直接に掛けたいのであるが、前述した如く錠ケース０１の上下幅が短いので、左右長手方向に前記テールピース０４を設け、このテールピース０４の後部位置にテールピースバネ０６を設けざるを得なかった。また、錠杆補助片バネ０２１を取り付けるための錠杆補助片０２０も必要であった。従って、上記従来の扉錠では、これらのテールピース０４やテールピースバネ０６や錠杆補助片０２０などの構成部品が必要であるとともに、構成部品の組み付け作業も面倒で時間がかかった。
【０００６】
（ロ）さらに、上記従来の扉錠では、ハブ０５の操作軸０３０の中心とハブ０５の作動部０５ａ、０５ｂとの距離は短いため、前記操作軸０３０に連結したレバーハンドルを回動して解錠操作する場合に、該レバーハンドルの回転角度が大きくなるという、問題があった。
【０００７】
また、実開昭６２−７９０６８号公報に示されているように、錠杆を錠杆バネにより常時は後退方向に付勢し、扉閉鎖時には錠杆側の磁性体と受部材側の磁性体との磁性吸引力によって錠杆を突出させて施錠するような扉錠も知られている。
【０００８】
【発明が解決しようとする課題】
本発明は、上記従来の問題点を解消しようとするものであって、完全に扉を閉めた状態では、錠杆が受部材の係合孔に確実に係合されて、風圧等による不用意な開扉を防止できる扉錠を提供することを目的とする。
【０００９】
上記目的を達成するため、本発明の請求項１の扉錠は、錠杆バネにより常時は後退方向に付勢され、かつハンドルの操作によりハブを回動することにより後退されるように錠ケース内に出没自在に設けた錠杆と、前記錠杆の少なくとも一部に設けた磁性体又は磁石と、扉閉鎖時に前記磁性体又は磁石と対向する扉枠側の受部材に設けた磁石又は磁性体とを備え、扉閉鎖時に前記錠杆側の磁性体又は磁石と受部材側の磁石又は磁性体との磁性吸引力によって、前記錠杆バネによる後退方向への付勢力に打ち勝って錠杆を突出させて受部材の係合孔に係合させ施錠するようにしてなる扉錠において、
前記錠杆バネは、錠杆を後退方向に付勢する第１錠杆バネと、この第１錠杆バネより強い付勢力を有し錠杆を前進方向に付勢する第２錠杆バネとからなり、この第１錠杆バネと第２錠杆バネにより、開扉解錠状態時においてはフロント前面からの錠杆の設定突出量を規制するとともに、扉の閉鎖状態時においては、前記錠杆は、前記設定突出量に加え、該錠杆の磁性体又は磁石と受部材の磁石又は磁性体との磁性吸引力によって、同錠杆を受部材の係合孔に突出させて施錠するようにしたことを特徴とする扉錠。
【００１０】
ここで、錠杆バネにより常時は後退方向に付勢された錠杆とは、開扉状態において錠杆が錠杆バネにより常時に後退方向に付勢されていることを意味する。換言すると、開扉解錠状態時には、錠杆は錠杆バネにより該錠杆の先端部が錠ケースの前面に設けたフロント板の前面より閉扉時には受部材（受座）に当接して後退し得る範囲内で少し突出しているか又は没入しているか或いは同一面（つまり錠杆の先端部がフロント板の前面より例えば５ｍｍ〜ー１ｍｍであること。）である状態（この状態を中立状態ともいう。）にある。閉扉施錠状態時には、前記中立状態の錠杆が前記磁性吸引力により前進状態となり施錠される。この前進状態時においてノブやレバーハンドルからなるハンドルを介してハブを解錠方向に回動して錠杆を後退して後退状態とすることで解錠される。
【００１１】
また、錠杆の少なくとも一部に設けた磁性体または磁石は、相手方の受部材に設けた磁石または磁性体との磁性吸引力が最大限に働くように、錠杆の頭部に設ける方が好ましいが、本発明ではその取付位置を限定するものではない。
【００１２】
扉閉鎖時において、錠杆側の磁性体又は磁石と、受部材側の磁石又は磁性体との磁性吸引力によって、錠杆を突出させて受部材の係合孔に係合させ施錠する態様としては次の如きものが挙げられる。
【００１３】
すなわち、第１例としては、錠杆の一部（頭部）を、鉄やニッケルやマンガン等の磁性体で構成するとともに、相手方の受部材側には磁石を設ける。  第２例としては、錠杆の一部に磁石を設けるとともに、相手方の受部材側に磁性体を設ける。  上記のうち、第１例のものは、開閉される扉に設けた錠ケースに特別な構成部材を設ける必要がなく、常時固定される扉枠側の受部材に磁石を設けるものであるから、最も好適である。
【００１４】
錠ケースは、所謂ケースロック錠として用いられている大きさの錠ケースを指称する。従って、前記従来例の特願平８ー１３５８６１号の発明で示されたような所謂チューブラー状の錠ケースの如く上下幅が短く左右長手方向幅が長い錠ケースを除く意味である。
【００１５】
請求項２の扉錠は、前記錠ケースの収納室の上部に前後のバネ受部を離間して形成し、この両バネ受部間で形成されたバネ収納空間に錠杆の上部壁より突設したバネ受を嵌入するとともに、前記前部バネ受部と錠杆の前記バネ受との間に第１錠杆バネを設けるとともに、錠ケースの前記バネ収納空間の後部には更にバネ受部を形成して、このバネ受部と前記後部バネ受部との間に前記第２錠杆バネを設けたものである。
【００１６】
なお、ハブの当接部が当接する錠ケースに設けた柱と、ハブの作動部が当接する錠杆の係合部とは消音材で形成する方が好ましい。この消音材としては、ゴム製や軟質で弾性を有するプラスチック製などの消音材料で製作するとよい。
また、錠杆の先端部には、周知の如くテーパ面を形成するか、錠杆の頭部側にローラーを回動自在に軸着して、該テーパ面又はローラーの前端面を、開扉状態時において錠ケースの前面に設けたフロント板の前面より５ｍｍ〜０ｍｍの範囲内にあるように設ける方が好ましい。すなわち、一般的に用いられている錠杆の前端面またはローラーの前端面は、開扉状態時において錠ケースのフロント板の前面より略１０ｍｍ程度突出しているため、この突出部分に衣服などが引っ掛かりまたは子供などの顔面に当たる危険があるなどの難点があったが、上記構成によれば、このような難点が解消される。上記数値に限定されず、該錠杆又はローラーの前端面が錠ケース内に没入している場合であってもよい。
【００１７】
【発明の実施の形態】
本発明の第１の実施の形態例を図１〜図８に基づいて以下に説明する。
図１は本発明の扉錠の開扉状態を示す一部を断面した平面図、図２は図１の縦断面図、図３は閉扉途中の状態の一部を断面で示した平面図、図４は図３の縦断面図、図５は閉扉施錠状態の一部を断面で示した平面図、図６は図５の縦断面図、図７は施錠状態からハンドル操作により錠杆を後退して解錠した状態の一部を断面で示した平面図、図８は図７の縦断面図である。
【００１８】
１は一端側を枢支された扉ａの自由端側の彫り込み部に収容された錠ケースであって、この錠ケース１は上下幅である縦の長さと左右長手方向幅である横の長さとの比を同一又は大差のない大きさとしたケースロック錠用のケースとしてある。この錠ケース１は、フロント裏板１ｃを一体に形成した錠ケース本体１ａと錠ケース蓋１ｂとを重ね合わせて結合しているとともに、錠ケース１のフロント裏板１ｃをフロント板２で抱いて両者１ｃ、２を結合している。上記錠ケース１のフロント板２の上下部を扉ａにネジ３、３で固定している。
【００１９】
錠ケース本体１ａと錠ケース蓋１ｂとは共に断面コ字状で、両者１ａ、１ｂの内部に収納室４が形成されている。なお、錠ケース本体１ａと錠ケース蓋１ｂの一方は断面コ字状で他方は板でもよい。錠ケース本体１ａの後部側壁と錠ケース蓋１ｂの後部側壁とにはハブ３０の枢軸３１を貫挿して保持されるハブ挿通孔（図示せず）が形成されている。
【００２０】
錠ケース１の収納室４の上部には、フロント板２及びフロント裏板１ｃの挿通孔５から錠杆１０が出没自在に設けられている。すなわち、前記錠杆１０は、後述する受部材６０側に設けた磁石７０の吸引力よりも付勢力の弱い錠杆バネ１１により常時には後退方向に付勢され、かつレバーハンドルやノブ等のハンドル操作によりハブ３０を介して後退されるように錠ケース１内に出没自在に設けられている。
【００２１】
前記錠杆バネ１１は、本実施形態では、錠ケース１の収納室４上部に前後部(図２で言えば左右)のバネ受部６ａ、６ｂにより形成したバネ収納空間６において、錠杆１０の上部壁より突設したバネ受１２の前方には錠杆１０が後退方向に付勢される第１錠杆バネ１１ａを、後方には錠杆が前進方向に付勢される第２錠杆バネ１１ｂを設けている。第１錠杆バネ１１ａと第２錠杆バネ１１ｂの錠ケース１への組み付け方としては、特に限定するものではないが、この実施形態では、図１や図２及び図１４に示す如く、第１錠杆バネ１１ａは前部バネ受部６ａと錠杆のバネ受１２との間に設けるとともに、第２錠杆バネ１１ｂは錠ケース１のバネ収納空間６の後部に段設した収納部６ｄに嵌装して、該第２錠杆バネ１１ｂを後部バネ受部６ｂと錠ケースに設けたバネ受部６ｃ間内で伸縮されるようになっている。
【００２２】
従って、開扉状態時においては、第１錠杆バネ１１ａより強い付勢力の第２錠杆バネ１１ｂは、錠ケース１に設けたバネ受部６ｃに当接して錠杆１０の所定量以上の突出を阻止している。そして、第１錠杆バネ１１ａによって錠杆１０は後退方向に付勢され、錠杆１０はフロント板２前面から、Ｓ寸法だけ突出した状態に保持されている。このとき、第１錠杆バネ１１ａが第２錠杆バネ１１ｂの付勢力に打ち勝って図２の中立状態では錠杆１０が後退することはない。前記バネ受部６ｃの形成位置を変えることによって、錠杆１０の設定突出量Ｓを調節することができる。
【００２３】
錠杆１０の形状は、本発明では限定されないのであるが、本実施形態では、プラスチック等の非磁性体からなる内側錠杆柄１３と、内側錠杆柄１３の頭部を除く外周壁部を囲むようにして結合し、かつ鋼板等の磁性体からなる外側錠杆柄１４と、該外側錠杆柄１４の頭部を少し前方へ突出し、その突出部間に磁性体からなる金属製の軸１５で回転自在に軸支された鋼板等の磁性体からなるローラーパイプ１６と、このローラーパイプ１６で回転可能に設けられ、かつゴムや軟質合成樹脂などの消音材料で製作されたローラー１７とからなっている。
【００２４】
錠杆１０は錠杆柄１３の先端部に軸１５により枢支されたローラー１７により構成され、図１に示すように、ローラー１７の軸線１７ａの位置は受部材６０の当接面６０ａ（閉扉時にローラー１７が最初に受部材６０と当接する面）より扉側に位置するようにしてあり、閉扉時に錠杆１０（ローラー１７）は上記受部材６０の当接面６０ａに押されて錠本体内に後退する（図３）。
【００２５】
扉ａを完全に閉めた状態では、図５、図６のように錠杆１０（ローラー１７）が磁力により突出して受部材６０の係合孔６１に係合する。この時、ローラー１７の先端が係合孔６１の底部６１ｂに当接してそれ以上の突出が阻止されるようにしてある。そして、ローラー１７の軸線１７ａの位置は、受部材６０の係合孔６１の扉が開放方向に押された時にローラー１７に当接する当接面６１ａと少くとも同じ位置あるいは当接部６１ａよりも枠側の方に位置するようにしてある。そのため、扉ａと扉枠ｂとの間の隙間寸法（チリ寸法）の長短に関係なく常に安定した施錠状態が得られる。また、当接部１０ａは、ローラー１７の軸線１７ａと同一線上又は後方（錠ケース１側）位置の錠杆１０に形成されているので、ローラー１７はその半径又は半径より大きい部分が係合孔６１内に突出して係合しているため、図６の状態で開扉方向に風圧などの側圧が作用しても該ローラー１７が後退しないので、不用意に開扉することがない。
【００２６】
錠ケース１の収納室４の下部には、ハブ３０の枢軸３１が貫挿されて錠ケース１に枢支されている。
【００２７】
ハブ３０の形状は、特に限定されないが、本実施形態では図２、図４、図６及び図８に示す如く、レバーハンドルやノブのハンドル（図示せず）の操作軸７が嵌挿される操作軸挿入孔３２を有する前記枢軸３１と、枢軸３１の上部に一体に延設したアーム３３の先端に形成した作動部３４と、作動部３４の回動範囲を規制する第１当接部３５と第２当接部３６とが形成されている。
【００２８】
また、前記ハブ３０には枢軸３１より下部前方に向けてバネ受部３７が延設されており、このバネ受部３７の裏面側に折曲片３８が形成されている。一方、錠ケース本体１ａ内には前記バネ受部３７より前方の下部位置にネジ穴つきのネジ柱４１が固着され、このネジ柱４１にハブバネ４０が取り付けられている。このハブバネ４０の一端部を前記ハブ３０の折曲片３８に直接に掛け、該ハブバネ４０の付勢力によってハブ３０の作動部３４をハンドル操作による回動方向とは反対方向（図２では反時計方向）に付勢されている。
【００２９】
なお、図２、図４、図６及び図８で、４２、４３は４１と同様にネジ穴つきのネジ柱であり、これらのネジ柱４１、４２、４３は、錠ケース本体１ａに錠ケース蓋１ｂを被蓋してからネジ４４で固定する。
【００３０】
図６に示す如く閉扉施錠状態において、ハンドルを介してハンドルの操作軸７を解錠方向（時計方向）に回動することによって、ハブ３０の作動部３４が錠杆１０の係合部１８に係合して錠杆１０が第２錠杆バネ１１ｂに抗して後退されて図８の如く解錠状態となり、扉ａを開くことができる。
【００３１】
前記ハブ３０の枢軸３１に形成された操作軸挿入孔３２の中心つまり回転中心Ｏと、前記ハブ３０のアーム３３の先端に形成された作動部３４との距離Ｌは、ハブ３０の操作軸挿入孔３２に挿入された操作軸７の回転角度が小さくできるように長くしてある。前記距離Ｌは、錠杆１０のフロント板２からの出没ストローク量、操作軸７の所望回転角度、或いは錠のフロント面からハブ３０の回転中心までの水平距離を示すバックセットの長さ等の相関関係を考慮して、できるだけ長くしてある。
【００３２】
枠又は柱等の扉枠ｂ側に設けた受部材６０には錠杆１０と対向する位置に係合孔６１を形成し、この係合孔６１側の受部材６０には扉閉鎖時に前記錠杆１０に設けた磁性体１４、１５、１６と対向する磁石７０を設けている。
【００３３】
従って、図５及び図６のように、扉ａが完全に閉鎖された状態になると、錠杆１０側の磁性体１４、１５、１６と受部材６０側の磁石７０との磁性吸引力によって、前記第１錠杆バネ１１ａによる後退方向への付勢力に打ち勝って、錠杆１０を突出させて該錠杆１０が受部材６０の係合孔６１に係合され施錠される。この場合に、錠杆１０（ローラー１７）の当接部１０ａが、受部材６０の係合孔６１の開口縁前面に形成された当接面６１ａに必ず当接するまで、該錠杆１０が係合孔６１内に突出するようにすると、チリ寸法（扉枠と扉との隙間寸法）に関係なく確実に施錠される。
【００３４】
受部材６０の具体的な構成は、前記磁石７０と係合孔６１とを設けてある限り任意に選定できるものであるが、この実施形態では次のように構成している。
すなわち、受部材６０は、扉枠ｂにネジ６３で固定された箱受６２と、箱受６２の中央部に形成された凹部６４に錠杆１０の磁性体１４、１５、１６と対向して磁石７０を配置し、該磁石７０を保持する蓋板６５とからなっている。蓋板６５の錠杆１０の磁性体１４、１５、１６と対向する側の一部分は開口され、この開口部から磁石７０が見えるようになっている。上記蓋板６５はネジ６６で箱受６２に固定されている。
【００３５】
図中、８０は錠ケース１内に設けた柱であって、この柱８０は、図２に示す如く開扉解錠状態時にハブ３０の第１当接部３５が当接して、ハブ３０が反時計方向にそれ以上回動できないようにすると共に、また図６に示す如く閉扉施錠状態からハンドル操作によりハブ３０を解錠方向に回動する時に、ハブ３０の第２当接部３６が当接してハブ３０が時計方向にそれ以上回動できないようにする。
８１、８２はハンドルの座の取付柱（図示せず）を挿通するための第１貫通孔、第２貫通孔である。
【００３６】
【作用】
上記実施形態における作用を図１〜図８に基づいて以下に説明する。
(１) 図１と図２は開扉解錠状態を示している。この開扉時には、錠杆１０の第２錠杆バネ１１ｂによる突出方向への付勢は、バネ受部６ｃによって止まっており、第１錠杆バネ１１ａによって後退方向に付勢されている。錠杆１０に設けた磁性体１４、１５、１６の対向位置には、受部材６０に設けた磁石７０は存在しないので、両者（１４〜１６と７０）の磁性吸引力は作用しない。従って、錠杆１０は第１錠杆バネ１１ａの付勢力によって後退状態に保持され、閉扉されない限り錠杆１０が設定突出量Ｓ以上突出されることがない（図２参照）。
なお、上記設定突出量Ｓは、本実施形態では５ｍｍとしているが、錠ケース及び錠ケース蓋に設けた強い第２錠杆バネ１１ｂのバネ受部６ｃの位置によって錠杆１０の設定突出量Ｓを調節することができる。
【００３７】
(２) 上記開扉解錠状態から、扉ａを閉鎖して行く際に、受部材６０の接触面６７（図３参照）に対して、錠杆１０の前端面１０ｂ（ローラー１７の前端面でもある）を接触しながら、錠杆１０を受部材６０の係合孔６１に係合するまでの閉扉途中においては、図３と図４に示す如き状態となる。すなわち、この時は、前記開扉状態より錠杆１０が第２錠杆バネ１１ｂの付勢力に抗して少し後退する。
【００３８】
(３) 前記閉扉途中の状態から、扉が完全に閉められると、図５と図６に示すように、錠杆１０の頭部が受部材６０の係合孔６１に完全に一致すると、錠杆１０側の磁性体１４、１５、１６と受部材６０に設けた磁石７０との磁性吸引力によって、前記錠杆バネ１１による後退方向への付勢力に打ち勝って、錠杆１０を同図の如く最大限位置まで突出させて受部材６０の係合孔６１に係合させ施錠する。このとき、錠杆１０であるローラー１７の軸線１７ａの位置は当接面６１ａと同じ位置あるいは、それ以上扉枠ｂ側の方に位置するようにしてあるので（図５参照）、ノブやレバーハンドル等のハンドルを回動して錠杆１０を後退しない限り、解錠されない。
【００３９】
(４) 図５及び図６に示す閉扉施錠状態から、図１及び図２に示すように開扉解錠状態とするには、図７及び図８に示す如く、ノブやレバーハンドル等のハンドル（図示せず）をハブバネ４０の付勢力に抗して図面上時計方向に回動し、ハンドルの操作軸７によって、ハブ３０の作動部３４と錠杆１０の係合部１８との係合により、錠杆１０の磁性体１４、１５、１６と受部材６０側の磁石７０とによる施錠方向への磁性吸引力および第２錠杆バネ１１ｂに抗して錠杆１０を図７および図８の如く後退させて解錠状態とする。すなわち、この時には錠杆１０の頭部（ローラー１７の頭部）は係合孔の当接面６１ａと係止が解除されているので（図７参照）、そこで扉ａを開放することができる。
【００４０】
(５) 開扉した後、ハンドルから手を離すと、ハブ３０はハブバネ４０の付勢力によって、元の図１及び図２の開扉状態に復帰する。ハンドルもその操作軸７を介して一体的に回動され元の状態に復帰する。錠杆１０も錠杆バネ１１の付勢力により最小の突出量となるように元の状態に復帰する。
【００４１】
図９〜図１３は本発明の第２の実施の形態例を示す。
図９は開扉状態の縦断面図、図１０は閉扉途中の縦断面図、図１１は閉扉施錠状態の縦断面図、図１２は施錠状態からハンドル操作により錠杆を後退して解錠した状態の縦断面図、図１３は錠杆１０の係合部の斜視図である。
【００４２】
この第２の実施形態の扉錠は、ハブ３０の当接部が当接する錠ケース１に設けた柱８０と、ハブ３０の作動部３４が当接する錠杆１０の係合部１８とは、ウレタンラバー（エラストマー）やネオプレン（クロロプレンゴムの商品名）等の合成ゴム等からなる消音材９０で形成している点と、錠ケース１をなす錠ケース本体１ａと錠ケース蓋１ｂとがそれぞれ合成樹脂製で造られているとともに、錠ケース１の内部構造の点において、前記第１の実施形態の扉錠と顕著に異なり、その他の構成は図１〜図８のもの同様である。従って、図９〜図１２において図１〜図８と同一のものは同一符合を付している。
【００４３】
すなわち、消音材９０で形成あるいは被覆された柱８０は、錠ケース本体１ａと錠ケース蓋１ｂとに対向して形成された筒部９１、９１（ただし錠ケース蓋１ｂの筒部は図示せず。）同士間に挟持してある。そして、この柱８０には、扉開放時（図９）、閉扉途中時（図１０）及び閉扉時（図１１）においてハブ３０の第１当接部３５が当接し、閉扉施錠状態からハンドル操作によりハブ３０を解錠方向に回動して解錠する時においてハブ３０の第２当接部３６が当接して、ハブ３０の当接部３５、３６と柱８０との当接時の騒音の発生を防止している。
【００４４】
また、錠杆１０の係合部１８は、内・外両側の錠杆柄１３、１４とは別体で構成され、内側錠杆柄１３及び外側錠杆柄１４の後部に形成した突起部１３ａ、１４ａの前方位置に形成された凹部（図示せず）に弾性的に嵌合して取り付けてある。すなわち、この係合部１８の形状は特に限定しないが、本実施形態では図１３に示す如く、基板部１８ａと、該基板部１８ａの後端に対し交差するように突出した当接部１８ｂと、基板部１８ａの上面に垂直方向に延設した垂直部１８ｃとからなっている。従って、図１２の如くハブ３０を解錠方向に回動した時には、ハブ３０のアーム３３先端の作動部３４は前記係合部１８の当接部１８ｂに当接され、その当接時の騒音の発生も防止される。
【００４５】
なお、係合部１８は、上記の如く別体とすることなく、後部を消音材で形成した内・外両側の錠杆柄１３、１４の後部に一体に構成するともできる。
【００４６】
この第２実施形態における各構成部材の作用は、上述の消音作用がある点を除外すると、第１実施形態と同様であるので、説明を省略する。
【００４７】
なお、消音材９０として、図９〜図１３では柱８０と係合部１８を消音材料で形成したが、該柱８０と係合部１８を消音材料で形成することなく、前記柱８０と係合部１８とが当接するハブ３０の当接部（３５、３６）と作動部３４を少なくとも消音材料で形成することもできる。
【００４８】
【変形例等】
両実施形態では、錠杆バネ１１は錠ケース１の収納室の上端側に設けられているが、内側錠杆柄１３の中途に取付空間を形成して該取付空間内に設けるなど適宜設計変更できる。
【００４９】
また、上記両実施形態のほかに、錠杆１０の少なくとも一部に磁石を設けるとともに、相手方の受部材６０側に磁性体を設ける構成も実施できる。
【００５０】
上述したような各実施形態によれば、扉閉鎖時に錠杆側の磁性体又は磁石と受部材側の磁石又は磁性体との磁性吸引力によって、錠杆を突出させて受部材の係合孔に係合させ施錠するようにしてなる扉錠において、錠ケースの収納室の上部と下部のいずれか一方側には、少なくとも一部に磁性体または磁石を設けた錠杆を出没自在に設けるとともに、他方側にハブの枢軸を枢支し、所謂ケースロック錠を採用してなるから、従来例のチューブラー錠に用いられていたテールピースやテールピースバネや錠杆補助片などを省略し、錠ケースに内蔵される構成部品を少なくするとともに、部品を大きくして頑丈に構成し強度を大きくすることによって、構成部品の組み付け作業が簡便化できるばかりか、部品代等が安価となりかつ耐久性にも優れた扉錠が提供できる。
【００５１】
また、各実施形態によれば、錠杆に形成した係合部に係合される作動部を有するハブを、ハンドル操作による回動方向とは反対方向に付勢するハブバネを該ハブ自身に直接に掛けてなるから、従来例のテールーピースバネよりも付勢力の強いハブバネが使えるため、ノブに限らず、大きな回動力が作用するレバーハンドルの使用も可能となる。
【００５２】
しかも、各実施形態によれば、上記ケースロック錠の構成に加え、ハブの回転中心と、前記ハブのアームの先端に形成された作動部との距離は、ハブの操作軸挿入孔に挿入された操作軸の回転角度が小さくできるように長くしてあることから、ハンドルとしてレバーハンドルを使用した場合に、該レバーハンドルの回転角度が小さくできる。
【００５３】
さらに、各実施形態によれば、ハブの当接部が当接する錠ケースに設けた柱と、ハブの作動部が当接する錠杆の係合部とは消音材で形成してなるから、ノブやレバーハンドル等のハンドルの回動操作時において、ハブと錠杆等との当接時の騒音が防止できる。
【００５４】
【発明の効果】
請求項１の発明によれば、錠杆を常時は後退方向に付勢する錠杆バネは、錠杆を後退方向に付勢する第１錠杆バネと、この第１錠杆バネより強い付勢力を有し錠杆を前進方向に付勢する第２錠杆バネとからなり、この第１錠杆バネと第２錠杆バネにより、開扉解錠状規制するとともに、扉の閉鎖状態時においては、前記錠杆は、前記設定突出量に加え、該錠杆の磁性体又は磁石と受部材の磁石又は磁性体との磁性吸引力によって、同錠杆を受部材の係合孔に突出させて施錠するようにしてあるから、完全に扉を閉めた状態では、錠杆が受部材の係合孔に確実に係合されて、風圧等による不用意な開扉を防止できる。
【００５５】
請求項２の発明によれば、前記錠ケースの収納室の上部に前後のバネ受部を離間して形成し、この両バネ受部間で形成されたバネ収納空間に錠杆の上部壁より突設したバネ受を嵌入するとともに、前記前部バネ受部と錠杆の前記バネ受との間に第１錠杆バネを設けるとともに、錠ケースの前記バネ収納空間の後部には更にバネ受部を形成して、このバネ受部と前記後部バネ受部との間に前記第２錠杆バネを設けているから、錠ケースに設けたバネ受部の形成位置を変えることによって、錠杆の設定突出量を調節することができる。
【図面の簡単な説明】
【図１】  本発明の第１実施形態例の開扉状態を示す一部を断面した平面図である。
【図２】  図１の縦断面図である。
【図３】  閉扉途中の状態の一部を断面で示した平面図である。
【図４】  図３の縦断面図である。
【図５】  閉扉施錠状態の一部を断面で示した平面図である。
【図６】  図５の縦断面図である。
【図７】  施錠状態からハンドル操作により錠杆を後退して解錠した状態の一部を断面で
示した平面図である。
【図８】  図７の縦断面図である。
【図９】  本発明の第２実施形態例の開扉状態の縦断面図である。
【図１０】  閉扉途中の状態の縦断面図である。
【図１１】  閉扉施錠状態の縦断面図である。
【図１２】  施錠状態からハンドル操作により錠杆を後退して解錠した状態の縦断面図であ
る。
【図１３】  錠杆の係合部の斜視図である。
【図１４】  錠杆バネの収納空間近傍の部分斜視図である。
【図１５】  従来例の縦断面図である。
【符号の説明】
１          錠ケース
２          フロント板
４          収納室
６          バネ収納空間
７          ハンドルの操作軸
１０        錠杆
１０ａ      錠杆の当接部
１０ｂ      錠杆の前端面
１１        錠杆バネ
１１ａ      第１錠杆バネ
１１ｂ      第２錠杆バネ
１３        内側錠杆柄
１４        外側錠杆柄（磁性体）
１５        軸（磁性体）
１６        ローラーパイプ（磁性体）
１７        ローラー
１７ａ      ローラーの軸線
１８        係合部
３０        ハブ
３１        枢軸
３２        操作軸挿入孔
３３        アーム
３４        作動部
３５        第１当接部
３６        第２当接部
４０        ハブバネ
６０        受部材
６１        係合孔
７０        磁石または磁性体
８０        柱
９０        消音材
ａ          扉
ｂ          扉枠
Ｏ          回転中心
Ｓ          設定突出量
Ｌ          距離
【図１】
0003993281.tif 000002
【図２】
0003993281.tif 000003
【図３】
0003993281.tif 000004
【図４】
0003993281.tif 000005
【図５】
0003993281.tif 000006
【図６】
0003993281.tif 000007
【図７】
0003993281.tif 000008
【図８】
0003993281.tif 000009
【図９】
0003993281.tif 000010
【図１０】
0003993281.tif 000011
【図１１】
0003993281.tif 000012
【図１２】
0003993281.tif 000013
【図１３】
0003993281.tif 000014
【図１４】
0003993281.tif 000015
【図１５】
0003993281.tif 000016